(57)【要約】【課題】受験者に対する利便性を高めること【解決手段】スキャナー部１３０が読み取った問題用紙及び答案用紙と、正解及び解説が記載された解答用紙と、回答を記入した答案用紙との画像データは、記憶部（ＨＤＤ１３４）に記憶される。スキャナー部１３０による読み取りは、パネル部１３３に表示される画像データの記憶の指示（テスト登録用のアイコンにタッチする）に従う。そして、テスト管理部１１９は、パネル部１３３に表示される答え合わせの指示（答え合わせ用のアイコンにタッチする）に基づき、回答を記入した答案用紙の特定の箇所（それぞれの問題の回答欄の近傍など）に、正解及び解説を配置するように編集する。これにより、自身の回答と、正解及び解説との比較が容易となり、問題の復習を効率良く行うことができる。【選択図】図１
2016225732.tif 000002
【特許請求の範囲】
【請求項１】
問題用紙、正解及び解説が記載された解答用紙、及び回答を記入した答案用紙を読み取るスキャナー部と、
前記画像データの記憶又は答え合わせのいずれかを指示する内容を表示するパネル部と、
前記記憶の指示に基づき、前記スキャナー部により読み取った画像データを記憶する記憶部と、
前記画像データを管理するテスト管理部とを備え、
前記テスト管理部は、前記答え合わせの指示に基づき、前記回答を記入した答案用紙の特定の箇所に、前記正解及び解説を配置するように編集する
ことを特徴とする画像形成装置。
【請求項２】
前記テスト管理部は、前記回答を記入した箇所に対応させて前記正解及び解説を配置するように編集することを特徴とする請求項１に記載の画像形成装置。
【請求項３】
用紙に画像を印刷するプリンター部を備え、
前記パネル部はテスト出力を指示する内容を表示し、
前記テスト管理部は、
前記テスト出力の指示に基づき、前記問題用紙及び答案用紙の印刷を指示し、
前記答え合わせの指示に基づき、前記編集した復習用紙の印刷を指示する
ことを特徴とする請求項１又は２に記載の画像形成装置。
【請求項４】
前記テスト管理部は、
前記パネル部に表示させる、前記画像データの記憶、テスト出力及び答え合わせの指示に関わる表示内容と、前記画像データの記憶、テスト出力、答え合わせのそれぞれの指示に応じた表示内容とを管理する表示管理部と、
前記パネル部の表示内容の選択を受け付ける選択受付部と、
前記解答用紙の正解と前記答案用紙の回答とを照合しての正否と、前記解答用紙の解説との配置を編集する編集処理制御部と、
前記記憶部に記憶される前記画像データを講義名に紐付けして管理し、前記編集処理制御部が編集した前記復習用紙の印刷指示を出すテスト管理制御部とを有する
ことを特徴とする請求項３に記載の画像形成装置。
【請求項５】
スキャナー部に対し、問題用紙、正解及び解説が記載された解答用紙、及び回答を記入した答案用紙を読み取らせる工程と、
パネル部に対し、画像データの記憶又は答え合わせのいずれかを指示する内容を表示させる工程と、
記憶部に対し、前記記憶の指示に基づき、前記スキャナー部により読み取った画像データを記憶させる工程と、
テスト管理部により、前記画像データを管理する工程と、
を画像形成装置を制御するコンピューターに実行させ、
前記テスト管理部は、前記答え合わせの指示に基づき、前記回答を記入した答案用紙の特定の箇所に、前記正解及び解説を配置するように編集する
ことを特徴とする画像形成プログラム。
【発明の詳細な説明】
【技術分野】
【０００１】
本発明は、試験に適した画像形成装置及び画像形成プログラムに関する。
【背景技術】
【０００２】
近年、答案用紙を画像形成装置のスキャナーで読み込ませることで、自動採点を行う技術が提案されている。
【０００３】
その技術の一つとして、特許文献１では、２つの画像上の文字、パターンの認識、比較を行い、その結果を表示することによって、テストの採点などの作業を自動的に行う画像比較装置を提案している。
【０００４】
すなわち、この画像比較装置は、読取手段により原稿を読み取った後、比較手段による比較結果に応じて、作像プロセス手段に搬送した原稿に作像するようにしたものである。
【先行技術文献】
【特許文献】
【０００５】
【特許文献１】特開平０６−１６４７９１
【発明の概要】
【発明が解決しようとする課題】
【０００６】
上述した特許文献１の画像比較装置では、回答と正解とを比較して自動採点を行うので、出題者による採点作業の効率化が図れる。
【０００７】
ところが、特許文献１の画像比較装置では、出題者による採点作業の効率化を図ったものであり、受験者に対する利便性が図られていない、という問題があった。
【０００８】
本発明は、このような状況に鑑みてなされたものであり、上記問題点を解消することができる画像形成装置及び画像形成プログラムを提供することを目的とする。
【課題を解決するための手段】
【０００９】
本発明の画像形成装置は、問題用紙、正解及び解説が記載された解答用紙、及び回答を記入した答案用紙を読み取るスキャナー部と、前記画像データの記憶又は答え合わせのいずれかを指示する内容を表示するパネル部と、前記記憶の指示に基づき、前記スキャナー部により読み取った画像データを記憶する記憶部と、前記画像データを管理するテスト管理部とを備え、前記テスト管理部は、前記答え合わせの指示に基づき、前記回答を記入した答案用紙の特定の箇所に、前記正解及び解説を配置するように編集することを特徴とする。
また、前記テスト管理部は、前記回答を記入した箇所に対応させて前記正解及び解説を配置するように編集することを特徴とする。
また、用紙に画像を印刷するプリンター部を備え、前記パネル部はテスト出力を指示する内容を表示し、前記テスト管理部は、前記テスト出力の指示に基づき、前記問題用紙及び答案用紙の印刷を指示し、前記答え合わせの指示に基づき、前記編集した復習用紙の印刷を指示することを特徴とする。
また、前記テスト管理部は、前記パネル部に表示させる、前記画像データの記憶、テスト出力及び答え合わせの指示に関わる表示内容と、前記画像データの記憶、テスト出力、答え合わせのそれぞれの指示に応じた表示内容とを管理する表示管理部と、前記パネル部の表示内容の選択を受け付ける選択受付部と、前記解答用紙の正解と前記答案用紙の回答とを照合しての正否と、前記解答用紙の解説との配置を編集する編集処理制御部と、前記記憶部に記憶される前記画像データを講義名に紐付けして管理し、前記編集処理制御部が編集した前記復習用紙の印刷指示を出すテスト管理制御部とを有することを特徴とする。
本発明の画像形成プログラムは、スキャナー部に対し、問題用紙、正解及び解説が記載された解答用紙、及び回答を記入した答案用紙を読み取らせる工程と、パネル部に対し、画像データの記憶又は答え合わせのいずれかを指示する内容を表示させる工程と、記憶部に対し、前記記憶の指示に基づき、前記スキャナー部により読み取った画像データを記憶させる工程と、テスト管理部により、前記画像データを管理する工程と、を画像形成装置を制御するコンピューターに実行させ、前記テスト管理部は、前記答え合わせの指示に基づき、前記回答を記入した答案用紙の特定の箇所に、前記正解及び解説を配置するように編集することを特徴とする。
本発明の画像形成装置及び画像形成プログラムでは、スキャナー部が読み取った問題用紙及び答案用紙と、正解及び解説が記載された解答用紙と、回答を記入した答案用紙との画像データは、記憶部に記憶される。スキャナー部による読み取りは、パネル部に表示される画像データの記憶の指示に従う。そして、テスト管理部は、パネル部に表示される答え合わせの指示に基づき、回答を記入した答案用紙の特定の箇所に、正解及び解説を配置するように編集する。これにより、自身の回答と、正解及び解説との比較が容易となる。
【発明の効果】
【００１０】
本発明の画像形成装置及び画像形成プログラムによれば、自身の回答と、正解及び解説との比較が容易となり、問題の復習を効率良く行うことができることから、受験者に対する利便性を高めることができる。
【図面の簡単な説明】
【００１１】
【図１】本発明の画像形成装置をＭＦＰに適用した場合の一実施形態を示す図である。
【図２】図１のＨＤＤの構成を示す図である。
【図３】図１のテスト管理制御部の構成を示す図である。
【図４】図１のパネル部に表示される画面を示すものであって、同図（ａ）は初期画面を示し、同図（ｂ）はテスト登録のアイコンがタッチされることで表示される画面を示し、同図（ｃ）は講義名が選択されることで表示される画面を示し、同図（ｄ）は登録のボタンが選択されることで表示される画面を示している。
【図５】図１のパネル部に表示される画面を示すものであって、同図（ａ）は初期画面を示し、同図（ｂ）はテスト出力のアイコンがタッチされることで表示される画面を示し、同図（ｃ）は講義名が選択されることで表示される画面を示している。
【図６】図１のパネル部に表示される画面を示すものであって、同図（ａ）は初期画面を示し、同図（ｂ）は答え合わせのアイコンがタッチされることで表示される画面を示している。
【図７】図１のスキャナー部によって読み取られる用紙を示すものであって、同図（ａ）は問題用紙を示し、同図（ｂ）は答案用紙を示し、同図（ｃ）は解答用紙を示している。
【図８】図１のプリンター部によって印刷される用紙を示すものであって、同図（ａ）（ｂ）は答え合わせ済みの復習用紙を示している。
【図９】図１のプリンター部によって印刷される用紙を示すものであって、同図（ａ）（ｂ）は答え合わせ済みの記述式の回答が含まれる復習用紙を示している。
【図１０】図１のＭＦＰの動作を説明するためのフローチャートである。
【発明を実施するための形態】
【００１２】
以下、本発明の画像形成装置の一実施形態を、図１〜図１０を参照しながら説明する。なお、以下の説明においての画像形成装置の一例としては、コピー、印刷、スキャナー、ＦＡＸ（Ｆａｃｓｉｍｉｌｅ）などの複数の機能を搭載した複合的な周辺機器であるＭＦＰ（Ｍｕｌｔｉｆｕｎｃｔｉｏｎ  Ｐｅｒｉｐｈｅｒａｌ）であるものとする。
【００１３】
まず、図１に示すように、ＭＦＰ１００は、制御部１１０、スキャナー部１３０、プリンター部１３１、ＦＡＸ部１３２、パネル部１３３、ＨＤＤ（Ｈａｒｄ  Ｄｉｓｋ  Ｄｒｉｖｅ）１３４を備えている。
【００１４】
スキャナー部１３０は、イメージセンサ（図示省略）によって読み取られる、後述の問題用紙２０１、答案用紙２０２、解答用紙２０３などの画像信号をデジタルの画像データに変換し、制御部１１０に入力するデバイスである。
【００１５】
プリンター部１３１は、制御部１１０から出力される画像データに基づき、用紙上に画像を印刷するデバイスである。ＦＡＸ部１３２は、制御部１１０から出力される画像データを、電話回線を通じ相手方となるファクシミリへと送信し、また、相手方ファクシミリからの画像データを受信して制御部１１０に入力するデバイスである。
【００１６】
パネル部１３３は、ＭＦＰ１００のプリンター機能、ＦＡＸ機能、スキャン機能のいずれかの選択や、各種設定のための表示を行うデバイスである。また、パネル部１３３は、詳細は後述するが、後述の問題用紙２０１、答案用紙２０２及び解答用紙２０３の登録の操作、問題用紙２０１及び答案用紙２０２の出力の操作、答え合わせの操作に関わる画面を表示する。
【００１７】
ＨＤＤ１３４には、詳細は後述するが、ＭＦＰ１００の種々の機能を提供するためのアプリケーションプログラムなどが記憶されている。ＨＤＤ１３４は、ハードディスクドライブである。
【００１８】
制御部１１０は、画像形成プログラム、その他の制御プログラムを実行してＭＦＰ１００全体の動作を制御するプロセッサーである。制御部１１０は、スキャナー制御部１１１、プリンター制御部１１２、ＦＡＸ（Ｆａｃｓｉｍｉｌｅ）制御部１１３、ＲＡＭ（Ｒａｎｄｏｍ  Ａｃｃｅｓｓ  Ｍｅｍｏｒｙ）１１４、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）１１５、ネットワーク制御部１１６、パネル操作制御部１１７、画像処理部１１８、テスト管理部１１９、ＨＤＤ制御部１２０、システム制御部１２１を備えている。また、これらは、データバス１２２に接続されている。
【００１９】
スキャナー制御部１１１は、スキャナー部１３０の読み取り動作を制御する。プリンター制御部１１２は、プリンター部１３１の印刷動作を制御する。ＦＡＸ制御部１１３は、ＦＡＸ部１３２による画像データの送受信動作を制御する。
【００２０】
ＲＡＭ１１４は、プログラムを実行するためのワークメモリである。ＥＥＰＲＯＭ１１５には、書き換え可能な不揮発性メモリーであり、各部の動作チェックなどを行う制御プログラムが記憶されている。また、ＥＥＰＲＯＭ１１５には、アプリケーションプログラムにより実行した動作についてのログ情報なども記憶されている。ネットワーク制御部１１６は、図示しないＩ／Ｆ（インターフェース）を介しネットワーク１４０経由でのデータなどの送受信の制御を行う。
【００２１】
パネル操作制御部１１７は、パネル部１３３の表示動作を制御する。画像処理部１１８は、たとえば印刷データに対し、画像処理（ラスタライズ）を行う。また、画像処理部１１８は、印刷データに対し、補正／加工／編集なども行う。テスト管理部１１９は、詳細は後述するが、後述の問題用紙２０１、答案用紙２０２及び解答用紙２０３の登録、出力、編集などの管理を行う。ＨＤＤ制御部１２０は、ＨＤＤ１３４に対するデータの書き込みや読み出しなどを制御する。システム制御部１２１は、各部の連携動作などを制御する。
【００２２】
次に、図２を参照し、ＨＤＤ１３４の構成の一例について説明する。ＨＤＤ１３４には、たとえばパーティションＡ〜Ｆが設けられている。パーティションＡは、ＯＳ（Ｏｐｅｒａｔｉｎｇ  Ｓｙｓｔｅｍ）イメージ用とされている。
【００２３】
パーティションＢは、インストールされたアプリケーションプログラム用とされている。画像形成プログラムはパーティションＢに記憶されている。
【００２４】
パーティションＣは、画像データハンドリング用とされている。パーティションＤは、テストボックス用とされている。このパーティションＤには、後述の問題用紙２０１、答案用紙２０２、解答用紙２０３などが記録される。パーティションＥは、システム用とされている。パーティションＦは、アドレス帳などのデータベース用とされている。
【００２５】
次に、図３を参照し、テスト管理部１１９の構成の一例について説明する。テスト管理部１１９は、表示管理部１１９ａ、選択受付部１１９ｂ、編集処理制御部１１９ｃ、テスト管理制御部１１９ｄを有している。
【００２６】
表示管理部１１９ａは、パネル部１３３にテスト登録、テスト出力、答え合わせの操作の画面を表示させる。選択受付部１１９ｂは、パネル部１３３に表示された後述のテスト登録用のアイコン１５１、テスト出力用のアイコン１５２、答え合わせ用のアイコン１５３などの選択を受け付ける。編集処理制御部１１９ｃは、後述の答案用紙２０２に対して解説２０３ｂなどの内容を追加する編集処理などを行う。テスト管理制御部１１９ｄは、表示管理部１１９ａ、選択受付部１１９ｂ、編集処理制御部１１９ｃの連携動作などを制御する。
【００２７】
次に、図４〜図９を参照し、テスト管理部１１９の具体的な機能について説明する。まず、図４（ａ）は、初期画面であり、表示管理部１１９ａがパネル部１３３に表示させる内容を示している。すなわち、表示管理部１１９ａは、パネル部１３３にテスト登録用のアイコン１５１、テスト出力用のアイコン１５２、答え合わせ用のアイコン１５３を表示させる。
【００２８】
ここで、出題者がテスト登録を行う場合、テスト登録用のアイコン１５１にタッチすると、選択受付部１１９ｂがアイコン１５１の選択を受け付ける。選択受付部１１９ｂがアイコン１５１の選択を受け付けると、表示管理部１１９ａがパネル部１３３に図４（ｂ）に示す画面を表示させる。図４（ｂ）に示す画面には、講義名１５４ａ、件数１５４ｂが表示される。また、図４（ｂ）に示す画面には、スキップのためのボタン１５５ａ、選択のためのボタン１５５ｂ、キャンセルのためのボタン１５５ｃが表示される。ここで、講義名１５４ａの欄でたとえば○○講義にタッチすると、表示管理部１１９ａが○○講義を選択可能モードに表示させる。
【００２９】
さらに、選択のためのボタン１５５ｂにタッチすると、選択受付部１１９ｂが選択可能モードに表示されている○○講義の選択を受け付ける。なお、スキップのためのボタン１５５ａにタッチすると、表示管理部１１９ａが○○講義に続く△△講義を選択可能モードに表示させる。また、他の講義が登録されている場合には、他の講義を表示させる。また、キャンセルのためのボタン１５５ｃにタッチすると、表示管理部１１９ａが選択可能モードの表示をキャンセルする。さらに、キャンセルのためのボタン１５５ｃにタッチすると、表示管理部１１９ａが図４（ａ）の初期画面を表示させる。
【００３０】
また、○○講義が選択されると、表示管理部１１９ａがパネル部１３３に図４（ｃ）に示す画面を表示させる。図４（ｃ）に示す画面には、テストの番号（Ｎｏ．）１５４ｃ、テスト名１５４ｄ、日付１５４ｅが表示される。また、図４（ｃ）に示す画面には、登録のためのボタン１５５ｄ、キャンセルのためのボタン１５５ｃが表示される。
【００３１】
ここで、登録のためのボタン１５５ｄにタッチすると、表示管理部１１９ａがパネル部１３３に図４（ｄ）に示す画面を表示させる。なお、キャンセルのためのボタン１５５ｃにタッチすると、表示管理部１１９ａが一つ前の画面である、図４（ｂ）に示す画面を表示させる。図４（ｄ）に示す画面には、スキャンのためのボタン１５５ｅ、キャンセルのためのボタン１５５ｃが表示される。ここで、スキャンのためのボタン１５５ｅにタッチすると、テスト管理制御部１１９ｄが図１のシステム制御部１２１にスキャンの指示を出す。システム制御部１２１は、スキャンの指示を受けると、スキャナー制御部１１１にスキャナー部１３０による読み取りを指示する。
【００３２】
そして、図７（ａ）に示す問題用紙２０１、図７（ｂ）に示す答案用紙２０２、図７（ｃ）に示す解答用紙２０３を、たとえば図示しない自動送りの原稿台にセットしておくことで、スキャナー部１３０が順に読み取りを開始する。なお、問題用紙２０１、答案用紙２０２、解答用紙２０３は、選択式の場合として示しているが、記述式の場合については後述する。
【００３３】
スキャナー部１３０が問題用紙２０１、答案用紙２０２、解答用紙２０３の読み取りを終えると、テスト管理制御部１１９ｄが図１のシステム制御部１２１に登録の指示を出す。システム制御部１２１は、登録の指示を受けると、ＨＤＤ制御部１２０にＨＤＤ１３４への登録を指示する。ここで、スキャナー部１３０が読み取った問題用紙２０１、答案用紙２０２、解答用紙２０３の画像データは、ＨＤＤ１３４のテストボックス用とされているパーティションＤに記録される。テスト管理制御部１１９ｄは、ＨＤＤ１３４に記録される画像データを、図４（ｂ）に示した講義名１５４ａに紐付けして管理する。
【００３４】
また、記録される画像データには、図４（ｃ）に示したテストの番号１５４ｃ、テスト名１５４ｄ、日付１５４ｅが付与される。なお、テストの番号１５４ｃ、テスト名１５４ｄは、先に登録されている番号１５４ｃ、テスト名１５４ｄと重複しないように付与される。この場合、たとえば先に登録されている番号１５４ｃ、テスト名１５４ｄに続くものが付与される。
【００３５】
また、受験者がテストを選択する場合、図５（ａ）に示す初期画面でテスト出力用のアイコン１５２にタッチすると、選択受付部１１９ｂがアイコン１５２の選択を受け付ける。選択受付部１１９ｂがアイコン１５２の選択を受け付けると、表示管理部１１９ａがパネル部１３３に図５（ｂ）に示す画面を表示させる。
【００３６】
図５（ｂ）に示す画面には、講義名１５４ａ、件数１５４ｂが表示される。また、図５（ｂ）に示す画面には、スキップのためのボタン１５５ａ、選択のためのボタン１５５ｂが表示される。ここで、講義名１５４ａの欄でたとえば○○講義にタッチすると、表示管理部１１９ａが○○講義を選択可能モードに表示させる。さらに、選択のためのボタン１５５ｂにタッチすると、選択受付部１１９ｂが選択可能モードに表示されている○○講義の選択を受け付ける。なお、スキップのためのボタン１５５ａにタッチすると、○○講義に続く△△講義が選択可能モードに表示される。また、他の講義が登録されている場合には、他の講義を表示させる。
【００３７】
次に、○○講義が選択されると、表示管理部１１９ａがパネル部１３３に図５（ｃ）に示す画面を表示させる。図５（ｃ）に示す画面には、テストの番号１５４ｃ、テスト名１５４ｄ、日付１５４ｅが表示される。また、図５（ｃ）に示す画面には、出力のためのボタン１５５ｆ、キャンセルのためのボタン１５５ｃが表示される。
【００３８】
ここで、テストの番号１５４ｃのたとえば１にタッチすると、選択受付部１１９ｂが選択可能モードに表示されているテスト１の選択を受け付ける。そして、テスト１の出力のためのボタン１５５ｆにタッチすると、テスト管理制御部１１９ｄが図１のシステム制御部１２１にテスト１の出力の指示を出す。システム制御部１２１は、テスト１の出力の指示を受けると、画像処理部１１８に対して印刷データの画像処理（ラスタライズ）を行わせる。また、システム制御部１２１は、プリンター制御部１１２に対して印刷の指示を出す。
【００３９】
これにより、図７（ａ）に示す問題用紙２０１と、図７（ｂ）に示す答案用紙２０２とが印刷される。ここで、図７（ａ）に示す問題用紙２０１には、問題２０１ａと選択肢２０１ｂとが含まれている。また、図７（ｂ）に示す答案用紙２０２には、それぞれの問題に対応させた回答欄２０２ａと、講義名が印刷される印刷欄２０２ｂ、テスト名が印刷される印刷欄２０２ｃ、氏名の記入欄２０２ｄが含まれている。
【００４０】
そして、受験者は、記入欄２０２ｄに氏名を記入する。また、受験者は、答案用紙２０２の回答欄２０２ａに回答を記入する。全ての回答欄２０２ａへの回答の記入を終えた後、図６（ａ）に示す初期画面で、答え合わせ用のアイコン１５３にタッチすると、選択受付部１１９ｂがアイコン１５３の選択を受け付ける。選択受付部１１９ｂがアイコン１５３の選択を受け付けると、表示管理部１１９ａがパネル部１３３に図６（ｂ）に示す画面を表示させる。
【００４１】
なお、キャンセルのためのボタン１５５ｃにタッチすると、表示管理部１１９ａが一つ前の画面である、図６（ｂ）に示す画面を表示させる。ここで、スキャンのためのボタン１５５ｅにタッチすると、テスト管理制御部１１９ｄが図１のシステム制御部１２１にスキャンの指示を出す。システム制御部１２１は、スキャンの指示を受けると、スキャナー制御部１１１にスキャナー部１３０による読み取りを指示する。ここで、回答などを記入した図７（ｂ）に示す答案用紙２０２を、たとえば図示しない自動送りの原稿台にセットしておくことで、スキャナー部１３０が順に読み取りを開始する。
【００４２】
スキャナー部１３０が答案用紙２０２の読み取りを終えると、編集処理制御部１１９ｃが図７（ｃ）に示す解答用紙２０３の正解欄２０３ａの正解と、答案用紙２０２の回答欄２０２ａの回答とを照合する。また、編集処理制御部１１９ｃは、図７（ｃ）に示す解答用紙２０３の解説２０３ｂを取り込む。
【００４３】
そして、編集処理制御部１１９ｃは、図８（ａ）に示すように、答え合わせ済みの答案用紙である、復習用紙２０２Ａのそれぞれの問題の回答欄２０２ａのたとえば隣に正否２０２ｅを配置させるように編集する。ここで、正否２０２ｅの○は正解を示し、×は不正解を示している。また、編集処理制御部１１９ｃは、それぞれの問題の回答欄２０２ａのたとえば下方に解答用紙２０３から取り込んだ解説２０３ｂを配置させる編集する。なお、正否２０２ｅの配置及び解説２０３ｂの配置については、それぞれの問題の回答欄２０２ａの近傍であればよい。
【００４４】
また、編集処理制御部１１９ｃは、編集により、復習用紙２０２Ａが複数になる場合、それぞれの復習用紙２０２Ａのたとえば右上に連番２０２ｇを配置させるように編集してもよい。また、編集処理制御部１１９ｃは、復習用紙２０２Ａの右上に、講義名が印刷される印刷欄２０２ｂ、テスト名が印刷される印刷欄２０２ｃ、氏名の記入欄２０２ｄを配置させるように編集する。また、編集処理制御部１１９ｃは、図８（ｂ）に示すように、復習用紙２０２Ａのたとえば右下に採点結果２０２ｆを配置させるように編集する。
【００４５】
テスト管理制御部１１９ｄは、編集処理制御部１１９ｃが以上のような編集を終えると、図１のシステム制御部１２１に復習用紙２０２Ａの出力の指示を出す。システム制御部１２１は、復習用紙２０２Ａの出力の指示を受けると、画像処理部１１８に対して印刷データの画像処理（ラスタライズ）を行わせる。また、システム制御部１２１は、プリンター制御部１１２に対して印刷の指示を出す。そして、図８（ａ）（ｂ）に示す復習用紙２０２Ａがプリンター部１３１により印刷される。
【００４６】
なお、図８は、選択式の回答の場合を示しているが、記述式の回答がある場合、編集処理制御部１１９ｃが図９に示すような編集を行う。すなわち、編集処理制御部１１９ｃは、図９（ａ）の選択式の回答に対し、図８（ａ）と同様の編集を行う。一方、編集処理制御部１１９ｃは、図９（ｂ）に示すように記述式の回答の場合、問題の回答欄２０２ａのたとえば下方に解説２０３ｂを配置させるように編集する。また、図９（ｂ）に示すように、復習用紙２０２Ａのたとえば右下に受付番号２０２ｈを配置させるように編集する。
【００４７】
この受付番号２０２ｈは、後日、記述式の回答の採点結果２０２ｆを受け取るためのものである。なお、出題者は、記述式の回答を採点した後、採点結果２０２ｆをＨＤＤ１３４に記憶させておく必要がある。この場合、上記同様に、図４（ａ）の初期画面でテスト登録用のアイコン１５１にタッチすると、選択受付部１１９ｂがアイコン１５１の選択を受け付ける。そして、図４（ｂ）の画面で講義名１５４ａを選択し、図４（ｃ）の画面でテストの番号１５４ｃを選択して登録のためのボタン１５５ｄにタッチすると、表示管理部１１９ａがパネル部１３３に図４（ｄ）に示す画面を表示させる。ここで、スキャンのためのボタン１５５ｅにタッチし、上記同様にして、スキャナー部１３０が採点済みの答案用紙２０２を読み取る。
【００４８】
一方、受験者が図６（ａ）に示す画面で、答え合わせ用のアイコン１５３にタッチすると、選択受付部１１９ｂがアイコン１５３の選択を受け付け、表示管理部１１９ａがパネル部１３３に図６（ｂ）に示す画面を表示させる。このとき、図６（ｂ）に示す画面に、受付番号２０２ｈの入力欄が表示されるようにする。受付番号２０２ｈの入力欄への入力が済むと、編集処理制御部１１９ｃが図９（ｂ）に示した復習用紙２０２Ａの右下に採点結果２０２ｆを配置させるように編集する。そして、図９（ａ）（ｂ）に示す復習用紙２０２Ａがプリンター部１３１により印刷される。
【００４９】
次に、図１０を参照し、ＭＦＰ１００の動作について説明する。
【００５０】
（ステップＳ１０１）
テスト管理部１１９のテスト管理制御部１１９ｄは、図４（ａ）に示すパネル部１３３に表示された初期画面において、テスト登録かどうか判断する。この場合、テスト管理制御部１１９ｄは、出題者がテスト登録用のアイコン１５１にタッチし、選択受付部１１９ｂがアイコン１５１の選択を受け付けることで、テスト登録であると判断する（ステップＳ１０１：Ｙｅｓ）。これに対し、テスト管理制御部１１９ｄは、テスト登録でないと判断すると（ステップＳ１０１：Ｎｏ）、ステップＳ１０７に移る。なお、テスト管理制御部１１９ｄは、テスト登録であると判断すると、表示管理部１１９ａに対し、パネル部１３３に図４（ｂ）に示す画面を表示させる。
【００５１】
（ステップＳ１０２）
次に、テスト管理制御部１１９ｄは、講義が選択されたかどうかを判断する。この場合、図４（ｂ）に示す画面の講義名１５４ａの欄でたとえば○○講義にタッチすると、表示管理部１１９ａが○○講義を選択可能モードに表示させる。さらに、選択のためのボタン１５５ｂにタッチすると、選択受付部１１９ｂが選択可能モードに表示されている○○講義の選択を受け付ける。テスト管理制御部１１９ｄは、選択受付部１１９ｂが選択を受け付けるまで待ち（ステップＳ１０２：Ｎｏ）、選択受付部１１９ｂが○○講義の選択を受け付けることで、講義が選択されたと判断する（ステップＳ１０２：Ｙｅｓ）。なお、テスト管理制御部１１９ｄは、講義が選択されたと判断すると、表示管理部１１９ａに対し、パネル部１３３に図４（ｃ）に示す画面を表示させる。
【００５２】
（ステップＳ１０３）
次に、テスト管理制御部１１９ｄは、登録かどうかを判断する。この場合、テスト管理制御部１１９ｄは、登録のためのボタン１５５ｄがタッチされるまで待ち（ステップＳ１０３：Ｎｏ）、登録のためのボタン１５５ｄがタッチされると、登録であると判断する（ステップＳ１０３：Ｙｅｓ）。なお、テスト管理制御部１１９ｄは、登録であると判断すると、表示管理部１１９ａに対し、パネル部１３３に図４（ｄ）に示す画面を表示させる。
【００５３】
（ステップＳ１０４）
次に、テスト管理制御部１１９ｄは、スキャンかどうかを判断する。この場合、テスト管理制御部１１９ｄは、スキャンのためのボタン１５５ｅがタッチされるまで待ち（ステップＳ１０４：Ｎｏ）、スキャンのためのボタン１５５ｅがタッチされると、スキャンであると判断する（ステップＳ１０４：Ｙｅｓ）。このとき、テスト管理制御部１１９ｄは、図１のシステム制御部１２１にスキャンの指示を出す。
【００５４】
（ステップＳ１０５）
システム制御部１２１は、スキャンの指示を受けると、スキャナー制御部１１１にスキャナー部１３０による読み取りを指示する。この場合、図７（ａ）に示す問題用紙２０１、図７（ｂ）に示す答案用紙２０２、図７（ｃ）に示す解答用紙２０３を、たとえば図示しない自動送りの原稿台にセットしておくことで、スキャナー部１３０が順に読み取りを開始する。
【００５５】
（ステップＳ１０６）
スキャナー部１３０が問題用紙２０１、答案用紙２０２、解答用紙２０３の読み取りを終えると、テスト管理制御部１１９ｄが図１のシステム制御部１２１に登録の指示を出す。これにより、システム制御部１２１は、登録の指示を受けると、ＨＤＤ制御部１２０にＨＤＤ１３４への登録を指示する。そして、ＨＤＤ制御部１２０は、スキャナー部１３０が読み取った問題用紙２０１、答案用紙２０２、解答用紙２０３の画像データを、ＨＤＤ１３４のテストボックス用とされているパーティションＤに記憶させる。
【００５６】
（ステップＳ１０７）
一方、テスト管理制御部１１９ｄは、ステップＳ１０１において、テスト登録でないと判断すると、テスト出力かどうかを判断する。この場合、テスト管理制御部１１９ｄは、受験者が図５（ａ）に示す初期画面でテスト出力用のアイコン１５２にタッチし、選択受付部１１９ｂがアイコン１５２の選択を受け付けることで、テスト出力であると判断する（ステップＳ１０７：Ｙｅｓ）。これに対し、テスト管理制御部１１９ｄは、テスト出力でないと判断すると（ステップＳ１０７：Ｎｏ）、ステップＳ１１２に移る。なお、テスト管理制御部１１９ｄは、テスト出力であると判断すると、表示管理部１１９ａに対し、パネル部１３３に図５（ｂ）に示す画面を表示させる。
【００５７】
（ステップＳ１０８）
次に、テスト管理制御部１１９ｄは、講義名の選択が受け付けられたかどうかを判断する。この場合、テスト管理制御部１１９ｄは、講義名１５４ａの欄でのたとえば○○講義へのタッチと、選択のためのボタン１５５ｂへのタッチを選択受付部１１９ｂが受け付けるまで待ち（ステップＳ１０８：Ｎｏ）、選択受付部１１９ｂがそれぞれのタッチを受け付けることで、講義名の選択が受け付けられたと判断する（ステップＳ１０８：Ｙｅｓ）。なお、テスト管理制御部１１９ｄは、講義名１５４ａの選択が受け付けられたと判断すると、表示管理部１１９ａに対し、パネル部１３３に図５（ｃ）に示す画面を表示させる。
【００５８】
（ステップＳ１０９）
次に、テスト管理制御部１１９ｄは、テストの番号１５４ｃが受け付けられたかどうかを判断する。この場合、テスト管理制御部１１９ｄは、選択受付部１１９ｂがテストの番号１５４ｃのたとえば１へのタッチを受け付けるまで待ち（ステップＳ１０９：Ｎｏ）、選択受付部１１９ｂがたとえば１へのタッチを受け付けることで、テストの番号１５４ｃが受け付けられたと判断する（ステップＳ１０９：Ｙｅｓ）。
【００５９】
（ステップＳ１１０）
次に、テスト管理制御部１１９ｄは、テストの出力かどうかを判断する。この場合、テスト管理制御部１１９ｄは、選択受付部１１９ｂがテスト１の出力のためのボタン１５５ｆへのタッチを受け付けるまで待ち（ステップＳ１１０：Ｎｏ）、選択受付部１１９ｂがボタン１５５ｆへのタッチを受け付けることで、テストの出力であると判断する（ステップＳ１１０：Ｙｅｓ）。
【００６０】
（ステップＳ１１１）
次に、テスト管理制御部１１９ｄは、図１のシステム制御部１２１にテスト１の出力の指示を出す。システム制御部１２１は、テスト１の出力の指示を受けると、画像処理部１１８に対して印刷データの画像処理（ラスタライズ）を行わせる。また、システム制御部１２１は、プリンター制御部１１２に対して印刷の指示を出す。これにより、プリンター部１３１は、図７（ａ）（ｂ）に示した問題用紙２０１及び答案用紙２０２を印刷する。
【００６１】
（ステップＳ１１２）
一方、テスト管理制御部１１９ｄは、ステップＳ１０７において、テスト出力でないと判断すると、答え合わせかどうかを判断する。この場合、テスト管理制御部１１９ｄは、図６（ａ）に示す画面で、選択受付部１１９ｂがアイコン１５３のタッチを受け付けることにより、答え合わせであると判断する（ステップＳ１１２：Ｙｅｓ）。これに対し、テスト管理制御部１１９ｄは、答え合わせでないと判断すると、ステップＳ１０１に移る。なお、テスト管理制御部１１９ｄは、答え合わせであると判断すると、表示管理部１１９ａに対し、パネル部１３３に図６（ｂ）に示す画面を表示させる。
【００６２】
（ステップＳ１１３）
次に、テスト管理制御部１１９ｄは、図１のシステム制御部１２１にスキャンの指示を出す。システム制御部１２１は、スキャンの指示を受けると、スキャナー制御部１１１にスキャナー部１３０による読み取りを指示する。この場合、受験者が図７（ｂ）に示した答案用紙２０２の氏名の記入欄２０２ｄに氏名を記入し、全ての回答欄２０２ａに回答を記入した答案用紙２０２を、たとえば図示しない自動送りの原稿台にセットしておくことで、スキャナー部１３０が読み取りを開始する。
【００６３】
（ステップＳ１１４）
次に、テスト管理制御部１１９ｄは、スキャナー部１３０が答案用紙２０２の読み取りを終えると、編集処理制御部１１９ｃに対し、図７（ｃ）に示した解答用紙２０３の正解欄２０３ａの正解と、答案用紙２０２の回答欄２０２ａの回答とを照合させる。
【００６４】
（ステップＳ１１５）
次に、テスト管理制御部１１９ｄは、編集処理制御部１１９ｃに対し、編集処理を行わせる。この場合、編集処理制御部１１９ｃは、図７（ｃ）に示した解答用紙２０３の解説２０３ｂを取り込む。また、編集処理制御部１１９ｃは、図８（ａ）に示したように、答え合わせ済みの答案用紙である、復習用紙２０２Ａのそれぞれの問題の回答欄２０２ａのたとえば隣に正否２０２ｅを配置させるように編集する。また、編集処理制御部１１９ｃは、それぞれの問題の回答欄２０２ａのたとえば下方に、解答用紙２０３から取り込んだ解説２０３ｂを配置させるように編集する。また、編集処理制御部１１９ｃは、図８（ｂ）に示したように、復習用紙２０２Ａのたとえば右下に採点結果２０２ｆを配置させるように編集する。
【００６５】
（ステップＳ１１６）
次に、テスト管理制御部１１９ｄは、編集処理制御部１１９ｃによる編集が終了すると、図１のシステム制御部１２１に復習用紙２０２Ａの出力の指示を出す。システム制御部１２１は、復習用紙２０２Ａの出力の指示を受けると、画像処理部１１８に対して印刷データの画像処理（ラスタライズ）を行わせる。また、システム制御部１２１は、プリンター制御部１１２に対して印刷の指示を出す。そして、プリンター部１３１が図８（ａ）（ｂ）に示した復習用紙２０２Ａを印刷する。
【００６６】
このように、本実施形態では、スキャナー部１３０が読み取った問題用紙２０１及び答案用紙２０２と、正解及び解説２０３ｂが記載された解答用紙２０３と、回答を記入した答案用紙２０２との画像データは、記憶部（ＨＤＤ１３４）に記憶される。スキャナー部１３０による読み取りは、パネル部１３３に表示される画像データの記憶の指示（テスト登録用のアイコン１５１にタッチする）に従う。そして、テスト管理部１１９は、パネル部１３３に表示される答え合わせの指示（答え合わせ用のアイコン１５３にタッチする）に基づき、回答を記入した答案用紙２０２の特定の箇所（それぞれの問題の回答欄２０２ａの近傍など）に、正解及び解説２０３ｂを配置するように編集する。これにより、自身の回答と、正解及び解説２０３ｂとの比較が容易となり、問題の復習を効率良く行うことができることから、受験者に対する利便性を高めることができる。
【符号の説明】
【００６７】
１００  ＭＦＰ
１１０  制御部
１１１  スキャナー制御部
１１２  プリンター制御部
１１３  ＦＡＸ制御部
１１４  ＲＡＭ
１１５  ＥＥＰＲＯＭ
１１６  ネットワーク制御部
１１７  パネル操作制御部
１１８  画像処理部
１１９  テスト管理部
１１９ａ  表示管理部
１１９ｂ  選択受付部
１１９ｃ  編集処理制御部
１１９ｄ  テスト管理制御部
１２０  ＨＤＤ制御部
１２１  システム制御部
１２２  データバス
１３０  スキャナー部
１３１  プリンター部
１３２  ＦＡＸ部
１３３  パネル部
１３４  ＨＤＤ
１４０  ネットワーク
１５１〜１５３  アイコン
１５４ａ  講義名
１５４ｂ  件数
１５４ｃ  テストの番号
１５４ｄ  テスト名
１５４ｅ  日付
１５５ａ〜１５５ｆ  ボタン
２０１  問題用紙
２０１ａ  問題
２０１ｂ  選択肢
２０２  答案用紙
２０２Ａ  復習用紙
２０２ａ  回答欄
２０２ｂ、２０２ｃ  印刷欄
２０２ｄ  記入欄
２０２ｅ  正否
２０２ｆ  採点結果
２０２ｇ  連番
２０２ｈ  受付番号
２０３  解答用紙
２０３ａ  正解欄
２０３ｂ  解説
Ａ〜Ｆ  パーティション
【図１】
2016225732.tif 000003
【図２】
2016225732.tif 000004
【図３】
2016225732.tif 000005
【図４】
2016225732.tif 000006
【図５】
2016225732.tif 000007
【図６】
2016225732.tif 000008
【図７】
2016225732.tif 000009
【図８】
2016225732.tif 000010
【図９】
2016225732.tif 000011
【図１０】
2016225732.tif 000012